(57)【要約】【課題】航法メッセージデータのビット長よりも長い相関積算時間に亘る相関処理を可能にするための新たな手法を提案すること。【解決手段】ＧＰＳ衛星から発信されたＧＰＳ衛星信号を受信した受信信号に対して相関演算が行われる。そして、ＧＰＳ衛星信号に搬送されている航法メッセージデータのビット長（２０ミリ秒）以上の相関積算時間に亘る相関演算結果に対して、フーリエ変換を用いた周波数解析が行われる。そして、周波数解析で得られたパワー値のうち、所定の閾値「θ」を超えたパワー値が抽出されて周波数ゼロにおけるパワー値に加算されるとともに、抽出されたパワー値が「０」にされる。そして、逆フーリエ変換によって相関値が再構成された後、再構成された相関値が積算され、当該積算相関値に基づいてＧＰＳ衛星信号が捕捉される。【選択図】図１
2011174725.tif 000002
【特許請求の範囲】
【請求項１】
測位用衛星から発信された衛星信号を受信した受信信号に対して相関演算を行うことと、
前記衛星信号によって搬送されている航法メッセージデータのビット長以上の所定時間に亘る前記相関演算の結果を周波数解析することと、
前記周波数解析した結果のうち、パワー値が所定のパワー条件を満たしている各周波数のパワー値を抽出することと、
前記抽出したパワー値を用いて前記衛星信号を捕捉することと、
を含む信号捕捉方法。
【請求項２】
前記所定時間に亘る前記相関演算の結果をｎ倍（ｎ＞１）することを更に含み、
前記周波数解析は、前記ｎ倍した前記相関演算の結果に対して行うことである、
請求項１に記載の信号捕捉方法。
【請求項３】
前記衛星信号を捕捉することは、前記抽出したパワー値を、周波数ゼロにおけるパワー値と見なして前記捕捉を行うことを含む、
請求項１又は２に記載の信号捕捉方法。
【請求項４】
前記衛星信号を捕捉することは、
逆周波数解析を行うことと、
前記逆周波数解析の結果を用いて前記衛星信号を捕捉することと、
を含む、
請求項１〜３の何れか一項に記載の信号捕捉方法。
【請求項５】
前記抽出することは、前記ビット長に応じて定められる特定周波数と、前記特定周波数の高調波とのうち、パワー値が前記パワー条件を満たしている周波数のパワー値を抽出することである、
請求項１〜４の何れか一項に記載の信号捕捉方法。
【請求項６】
前記周波数解析は、フーリエ変換を用いた周波数解析である、
請求項１〜５の何れか一項に記載の信号捕捉方法。
【請求項７】
前記周波数解析は、ウェーブレット変換を用いた周波数解析である、
請求項１〜５の何れか一項に記載の信号捕捉方法。
【請求項８】
測位用衛星からの衛星信号を受信部が受信した受信信号に対して相関演算を行う相関演算部と、
前記衛星信号によって搬送されている航法メッセージデータのビット長以上の所定時間に亘る前記相関演算の結果を周波数解析する解析部と、
前記周波数解析した結果のうち、パワー値が所定のパワー条件を満たしている各周波数のパワー値を抽出する抽出部と、
前記抽出したパワー値を用いて前記衛星信号を捕捉する捕捉部と、
を備えた信号捕捉装置。
【発明の詳細な説明】
【技術分野】
【０００１】
本発明は、信号捕捉方法及び信号捕捉装置に関する。
【背景技術】
【０００２】
測位用信号を利用した測位システムとしては、ＧＰＳ（Global Positioning System）が広く知られており、携帯型電話機やカーナビゲーション装置等に内蔵された位置算出装置に利用されている。ＧＰＳでは、複数のＧＰＳ衛星の位置や各ＧＰＳ衛星から位置算出装置までの擬似距離等の情報に基づいて位置算出装置の位置座標と時計誤差とを求める位置算出計算を行う。
【０００３】
ＧＰＳ衛星から送出されるＧＰＳ衛星信号は、ＣＡ（Coarse and Acquisition）コードと呼ばれるＧＰＳ衛星毎に異なる拡散符号で変調されている。位置算出装置は、微弱な受信信号の中からＧＰＳ衛星信号を捕捉するために、受信信号と、ＣＡコードのレプリカであるレプリカＣＡコードとの相関演算を行い、その相関値に基づいてＧＰＳ衛星信号を捕捉する。この場合、相関値のピークの検出を容易にするため、相関演算で取得された相関値を所定の積算時間に亘って積算する手法が用いられる。
【０００４】
しかし、ＧＰＳ衛星信号を拡散変調するＣＡコード自体が航法メッセージデータによって２０ミリ秒毎にＢＰＳＫ（Binary Phase Shift Keying）変調されているため、ビット長である２０ミリ秒毎にＣＡコードの極性が反転し得る。従って、航法メッセージデータのビット値が変化するタイミングを跨いで相関値を積算する場合には、符号の異なる相関値を積算する可能性がある。この問題を解決するための技術として、例えば特許文献１に開示されているように、航法メッセージデータのビット値が変化するタイミングについてのアシストデータを利用して相関値を積算する技術が知られている。
【先行技術文献】
【特許文献】
【０００５】
【特許文献１】特開２００１−３４９９３５号公報
【発明の概要】
【発明が解決しようとする課題】
【０００６】
特許文献１の技術によれば、相関積算時間を航法メッセージデータのビット長（２０ミリ秒）よりも長く設定することができる。しかし、特許文献１の技術では、航法メッセージデータのビット値が変化するタイミングについてのアシストデータを外部から取得する必要があるため、通信費や通信時間の問題など、データ取得に関する制約や問題があった。特に、ＧＰＳ衛星信号から発信されている航法メッセージデータが新たなデータに切り替わった後においては、アシストデータが更新されるのを待って、その新たなアシストデータを取得する必要が生じてしまう。
【０００７】
本発明は上述した課題に鑑みて為されたものであり、その目的とするところは、航法メッセージデータのビット長よりも長い相関積算時間に亘る相関処理を可能にするための新たな手法を提案することにある。
【課題を解決するための手段】
【０００８】
以上の課題を解決するための第１の形態は、測位用衛星から発信された衛星信号を受信した受信信号に対して相関演算を行うことと、前記衛星信号によって搬送されている航法メッセージデータのビット長以上の所定時間に亘る前記相関演算の結果を周波数解析することと、前記周波数解析した結果のうち、パワー値が所定のパワー条件を満たしている各周波数のパワー値を抽出することと、前記抽出したパワー値を用いて前記衛星信号を捕捉することと、を含む信号捕捉方法である。
【０００９】
また、他の形態として、測位用衛星からの衛星信号を受信部が受信した受信信号に対して相関演算を行う相関演算部と、前記衛星信号によって搬送されている航法メッセージデータのビット長以上の所定時間に亘る前記相関演算の結果を周波数解析する解析部と、前記周波数解析した結果のうち、パワー値が所定のパワー条件を満たしている各周波数のパワー値を抽出する抽出部と、前記抽出したパワー値を用いて前記衛星信号を捕捉する捕捉部と、を備えた信号捕捉装置を構成してもよい。
【００１０】
この第１の形態等によれば、測位用衛星から発信された衛星信号を受信した受信信号に対して相関演算を行う。そして、衛星信号によって搬送されている航法メッセージデータのビット長以上の所定時間に亘る相関演算の結果を周波数解析し、当該周波数解析の結果のうち、パワー値が所定のパワー条件を満たしている各周波数のパワー値を抽出する。そして、抽出したパワー値を用いて衛星信号を捕捉する。
【００１１】
航法メッセージデータが搬送されている衛星信号に対して、航法メッセージデータのビット長以上の任意の時間に亘って相関処理を行った場合、正しい周波数に合わせて衛星信号を捕捉したとしても、符号変化の有る相関値の時系列データとなってしまう。しかし、この相関値の時系列データに対して周波数解析を行うと、正しい周波数に合わせて衛星信号が捕捉できていれば、符号変化の周期に応じた周波数においてパワー値のピークが現れる。但し、パワー値の大きさは、符号変化の周期（周波数）やその高調波によってまちまちである。そのため、所定のパワー条件を満たしている周波数のパワー値を利用することで、航法メッセージデータのビット長よりも長い相関積算時間に亘る相関処理を可能とし、信号捕捉を正確に行うことができるようになる。
【００１２】
また、第２の形態として、第１の形態の信号捕捉方法であって、前記所定時間に亘る前記相関演算の結果をｎ倍（ｎ＞１）することを更に含み、前記周波数解析は、前記ｎ倍した前記相関演算の結果に対して行うことである、信号捕捉方法を構成してもよい。
【００１３】
この第２の形態によれば、所定時間に亘る相関演算の結果をｎ倍することで、相関演算の結果を増大させる。そして、ｎ倍した相関演算の結果に対して周波数解析を行う。これにより、周波数解析で得られるパワースペクトル密度を増大させることができる。
【００１４】
また、第３の形態として、第１又は第２の形態の信号捕捉方法であって、前記衛星信号を捕捉することは、前記抽出したパワー値を、周波数ゼロにおけるパワー値と見なして前記捕捉を行うことを含む、信号捕捉方法を構成してもよい。
【００１５】
この第３の形態によれば、抽出したパワー値を周波数ゼロにおけるパワー値と見なして衛星信号を捕捉する。抽出したパワー値を周波数ゼロにおけるパワー値と見なすということは、周波数解析によって、周波数ゼロにパワー値のピークが有ったという結果になったことを意味する。周波数ゼロにパワー値のピークが有ったということは、衛星信号の受信周波数の検出に成功したことに相当する。従って、この第３の形態により、信号捕捉の是非を容易に判定することができる。
【００１６】
また、第４の形態として、第１〜第３の何れかの形態の信号捕捉方法であって、前記衛星信号を捕捉することは、逆周波数解析を行うことと、前記逆周波数解析の結果を用いて前記衛星信号を捕捉することと、を含む、信号捕捉方法を構成してもよい。
【００１７】
また、第５の形態として、第１〜第４の何れかの形態の信号捕捉方法であって、前記抽出することは、前記ビット長に応じて定められる特定周波数と、前記特定周波数の高調波とのうち、パワー値が前記パワー条件を満たしている周波数のパワー値を抽出することである、信号捕捉方法を構成してもよい。
【００１８】
この第５の形態によれば、航法メッセージデータのビット長に応じて定められる特定周波数と、当該特定周波数の高調波とのうち、パワー値がパワー条件を満たしている周波数のパワー値を抽出する。相関演算結果に対する周波数解析を行うと、航法メッセージデータのビット長に応じて定められる特定周波数にパワー値のピークが現れるのが通常である。また、特定周波数を基本周波数として、その高調波の周波数にもパワー値のピークが現れるのが通常である。そのため、特定周波数及びその高調波の周波数を対象としてパワー値を抽出することで、計算量を削減しつつ、衛星信号を適確に捕捉することが可能となる。
【００１９】
また、第１〜第５の形態における周波数解析としては、第６の形態のように、フーリエ変換を用いた周波数解析を適用してもよいし、第７の形態のように、ウェーブレット変換を用いた周波数解析を適用してもよい。
【図面の簡単な説明】
【００２０】
【図１】（Ａ）は相関値の時間変化の一例。（Ｂ）は周波数解析結果の一例。（Ｃ）はパワー値に対する処理の説明図。（Ｄ）は再構成された相関値の時間変化の一例。
【図２】（Ａ），（Ｂ）は相関値の直流成分。（Ｃ）は相関値の特定周波数成分。
【図３】携帯型電話機の機能構成の一例を示すブロック図。
【図４】ベースバンド処理回路部の回路構成の一例を示すブロック図。
【図５】ベースバンド処理の流れを示すフローチャート。
【図６】第１相関処理の流れを示すフローチャート。
【図７】第２相関処理の流れを示すフローチャート。
【図８】第３相関処理の流れを示すフローチャート。
【図９】第４相関処理の流れを示すフローチャート。
【図１０】従来における位相方向及び周波数方向の相関処理結果の一例を示す図。
【図１１】従来における周波数方向の相関処理結果の一例を示す図。
【図１２】従来における位相方向の相関処理結果の一例を示す図。
【図１３】第１実施例における位相方向及び周波数方向の相関処理結果の一例を示す図。
【図１４】第１実施例における周波数方向の相関処理結果の一例を示す図。
【図１５】第１実施例における位相方向の相関処理結果の一例を示す図。
【図１６】第５相関処理の流れを示すフローチャート。
【図１７】第６相関処理の流れを示すフローチャート。
【図１８】従来における相関値の時系列変化の一例を示す図。
【図１９】第２実施例における相関値の時系列変化の一例を示す図。
【発明を実施するための形態】
【００２１】
１．原理
先ず、本実施形態における衛星信号捕捉の原理について説明する。
ＧＰＳ衛星を利用した位置算出システムにおいて、測位用衛星の一種であるＧＰＳ衛星は、アルマナックやエフェメリス等の衛星軌道データを含む航法メッセージデータを、測位用衛星信号の一種であるＧＰＳ衛星信号に乗せて発信している。
【００２２】
ＧＰＳ衛星信号は、拡散符号の一種であるＣＡ（Coarse and Acquisition）コードによって、スペクトラム拡散方式として知られるＣＤＭＡ（Code Division Multiple Access）方式によって変調された１．５７５４２［ＧＨｚ］の通信信号である。ＣＡコードは、コード長１０２３チップを１ＰＮフレームとする繰返し周期１ｍｓの擬似ランダム雑音符号であり、衛星毎に異なる。
【００２３】
ＧＰＳ衛星がＧＰＳ衛星信号を発信する際の周波数（規定搬送波周波数）は、１．５７５４２［ＧＨｚ］と予め規定されているが、ＧＰＳ衛星やＧＰＳ受信装置の移動により生ずるドップラーの影響等により、ＧＰＳ受信装置がＧＰＳ衛星信号を受信する際の周波数は、必ずしも規定搬送波周波数とは一致しない。そのため、従来のＧＰＳ受信装置は、受信信号の中からＧＰＳ衛星信号を捕捉するための周波数方向の相関演算である周波数サーチを行ってＧＰＳ衛星信号を捕捉する。また、受信したＧＰＳ衛星信号（ＣＡコード）の位相を特定するため、ＧＰＳ受信装置は、位相方向の相関演算である位相サーチを行ってＧＰＳ衛星信号を捕捉する。
【００２４】
しかし、特にインドア環境などの弱電界環境においては、真実の受信周波数及び真実のコード位相における相関値のレベルが低くなるため、ノイズとの見分けが難しくなる。この結果、真実の受信周波数及び真実のコード位相の検出、すなわち信号の捕捉が困難になる。そこで、このような受信環境下では、相関演算によって得られる相関値を所定の相関積算時間に亘って積算していき、積算された相関値の中からピークを検出することによって、ＧＰＳ衛星信号を捕捉する手法が用いられる。
【００２５】
ところが、ＧＰＳ衛星信号は、ＣＡコードによって拡散変調されているとともに、航法メッセージデータのビット値に応じてＣＡコード自体がＢＰＳＫ（Binary Phase Shift Keying）変調されている。この航法メッセージデータのビット長は２０ミリ秒であるため、２０ミリ秒毎にビット値が変化（反転）する可能性がある。可能性があるというのは、ビット値が変化しない場合もあることを意味する。本実施形態では、航法メッセージデータのビット値が実際に変化するタイミングのことを「ビット反転タイミング」と称する。
【００２６】
航法メッセージデータのビット値が変化することは、ＣＡコードの極性が反転することを意味する。そのため、受信したＣＡコードと、レプリカコードとの相関演算を行うと、航法メッセージデータのビット長である２０ミリ秒毎に符号の異なる相関値が算出され得る。そのため、航法メッセージデータのビット反転タイミングを跨いで相関値を積算してしまうと、符号の異なる相関値が相殺し合うことにより、相関値が微小な値（極端な場合は０）となってしまう問題がある。この問題を解決するため、本願発明者は、相関値に対する周波数解析を利用して、符号を揃えて相関値を積算する新しい手法を考案した。
【００２７】
図１及び図２は、本実施形態における相関処理の流れを説明するための図である。
図１（Ａ）に、相関値の時系列変化の一例を示す。説明を分かりやすくするため、相関値を「＋１」と「−１」の正負の２値で表現している。また、ここでは、受信周波数の真値が既知であり、受信ＣＡコードと位相がぴったり一致したレプリカコードを用いて相関演算を行って相関値を求めた場合について説明する。
【００２８】
航法メッセージデータのビット値が「１」である場合のＣＡコードの極性を「正」とすると、受信ＣＡコードにレプリカコードを乗算することで、相関値「＋１」が得られる。一方、航法メッセージデータのビット値が「０」である場合のＣＡコードの極性を「負」とすると、受信ＣＡコードにレプリカコードを乗算することで、相関値「−１」が得られる。
【００２９】
図１（Ａ）を見ると、航法メッセージデータのビット反転タイミングで、相関値の符号が入れ替わっていることがわかる。ビット値に応じて、前回のビット反転タイミングから２０ミリ秒後にビット反転タイミングが到来した場合には、当該２０ミリ秒後の時点で相関値の符号が逆転する。また、４０ミリ秒後にビット反転タイミングが到来した場合には、当該４０ミリ秒後の時点で相関値の符号が逆転する。
【００３０】
図１（Ａ）に示した時系列の相関値をビット長以上の所定時間に亘って蓄積し、周波数解析を行うと、例えば図１（Ｂ）に示すようなパワースペクトルが得られる。実施例で後述するが、周波数解析としては、例えばフーリエ変換やウェーブレット変換を適用することができる。図１（Ｂ）において、横軸は周波数、縦軸はパワー値を示しており、説明を分かり易くするため、ホワイトノイズについては図示を省略している。
【００３１】
図１（Ｂ）に示すように、周波数ゼロ（０Ｈｚ）にパワー値のピークが現れる。これは、時系列の相関値の直流成分を示している。すなわち、図２（Ａ）及び図２（Ｂ）に示すように、時系列の相関値のうちの符号変化の無い部分に相当する周波数成分（直流成分）が、０Ｈｚのパワー値のピークとして現れるのである。
【００３２】
しかし、図１（Ｂ）に示すように、２５Ｈｚの周波数にもパワー値の大きなピークが現れる。これは、航法メッセージデータのビット長が２０ミリ秒であることに起因している。すなわち、図２（Ｃ）に示すように、航法メッセージデータのビット値が２０ミリ秒毎に変化した場合、例えば最初の２０ミリ秒が「１」、次の２０ミリ秒が「−１」、その次の２０ミリ秒が「１」といったように相関値が変化するため、相関値の周期は４０ミリ秒になる。
【００３３】
この４０ミリ秒という期間は、航法メッセージデータのビット長の２倍に相当する期間である。周期４０ミリ秒を周波数に換算すると、「ｆ＝１／Ｔ＝１／（４０×１０−３）＝２５Ｈｚ」である。時系列の相関値に含まれるこの２５Ｈｚの周波数成分がパワー値のピークとして現れるのである。本実施形態では、この２５Ｈｚの周波数のことを「特定周波数」と定義する。
【００３４】
また、図１（Ｂ）を見ると、７５Ｈｚや１２５Ｈｚ、１７５Ｈｚといった高次の周波数にも、特定周波数（２５Ｈｚ）ほど大きなピークではないものの、微小のピークが現れていることがわかる。相関値の波形が対称波形であることにより、基本周波数である特定周波数の奇数倍の周波数、すなわち奇数次高調波周波数にパワー値のピークが現れるのである。
【００３５】
また、図示は省略しているが、特定周波数である２５Ｈｚよりも低い周波数にもパワー値のピークが現れ得る。これは、航法メッセージデータのビット反転タイミングが、必ずしも２０ミリ秒毎のタイミングとはならないことに起因して生ずるものである。すなわち、航法メッセージデータのビット反転タイミングが２０ミリ秒よりも長い期間で到来した場合は、その期間に対応する相関値の周期は４０ミリ秒とはならず、それよりも長い周期となる。周期が４０ミリ秒よりも長くなると、周波数は２５Ｈｚよりも低くなる。例えば、航法メッセージデータのビット反転タイミングが４０ミリ秒の期間で到来した場合は、その期間に対応する相関値の周期は８０ミリ秒となり、周波数は１２．５Ｈｚとなる。
【００３６】
これらのパワー値のピークは、そもそも航法メッセージデータのビット反転タイミングにおいてＣＡコードの極性が反転すること、ひいては相関値の符号が変化すること、に起因している。例えば、ビット反転タイミングを跨がないように、相関値の積算時間をビット長の２０ミリ秒未満にして周波数解析を行った場合には、周波数ゼロのみにピークが生じ、他の周波数にピークは生じない。すなわち、相関値の符号変化が無ければ、周波数ゼロ以外にパワー値のピークが生じないのである。これを逆に考えれば、周波数ゼロ以外のパワー値のピークを消失させることができれば、相関値の符号の変化を無視できるようになり、ひいては航法メッセージデータのビット反転の影響を無効化できる。
【００３７】
そこで、本実施形態では、時系列の相関値に対する周波数解析を行うことで得られるパワー値のうち、所定のパワー条件を満たしている各周波数のパワー値を抽出して、周波数ゼロにおけるパワー値に移動・加算させる処理を行う。例えば、パワー値に対する閾値「θ」を設定し、閾値「θ」を超えていることを条件（以下、「高パワー条件」という。）として、この高パワー条件を満たしている各周波数のパワー値を抽出する。そして、抽出したパワー値を周波数ゼロ（０Ｈｚ）におけるパワー値に加算するとともに、抽出したパワー値を「０」にする処理を行う。パワー値の閾値は、どの程度の大きさのパワー値をノイズと見なすかに応じて、適宜設定することにすれば好適である。
【００３８】
なお、パワー条件は、上記のような閾値判定を利用した条件に限らず、適宜設定変更可能である。例えば、各周波数におけるパワー値のうち、パワーの値が大きいものから順に所定数或いは所定割合の周波数のパワー値を選択する条件としてパワー条件を定めておくこととしてもよい。
【００３９】
例えば、図１（Ｃ）では、特定周波数「２５Ｈｚ」におけるパワー値と、高調波周波数「７５Ｈｚ」におけるパワー値とが閾値「θ」を超えている。そのため、特定周波数「２５Ｈｚ」及び高調波周波数「７５Ｈｚ」におけるパワー値を、周波数ゼロにおけるパワー値に移動させる。すなわち、これらのパワー値を周波数ゼロにおけるパワー値に加算するとともに、これらのパワー値を「０」にする。
【００４０】
上述した処理を行った後、逆周波数解析を行って時系列の相関値を再構成する。すると、図１（Ｄ）に示すような、符号変化の無い時系列の相関値が得られる。符号変化の無い相関値を積算すれば、相関値同士が相殺し合って積算相関値が小さくなることもない。従って、上記の相関処理を行うことで、相関積算時間を航法メッセージデータのビット長である２０ミリ秒よりも長く設定することができ、任意の相関積算時間で相関値を積算することが可能となる。
【００４１】
２．実施例
次に、衛星信号捕捉装置及び位置算出装置を備えた電子機器の一種である携帯型電話機に本発明を適用した場合の実施例について説明する。なお、本発明を適用可能な実施例が以下説明する実施例に限定されるわけではないことは勿論である。
【００４２】
図３は、各実施例に共通する携帯型電話機１の機能構成の一例を示すブロック図である。携帯型電話機１は、ＧＰＳアンテナ５と、ＧＰＳ受信部１０と、ホストＣＰＵ（Central Processing Unit）３０と、操作部４０と、表示部５０と、携帯電話用アンテナ６０と、携帯電話用無線通信回路部７０と、記憶部８０とを備えて構成される。
【００４３】
ＧＰＳアンテナ５は、ＧＰＳ衛星から発信されているＧＰＳ衛星信号を含むＲＦ（Radio Frequency）信号を受信するアンテナであり、受信信号をＧＰＳ受信部１０に出力する。
【００４４】
ＧＰＳ受信部１０は、ＧＰＳアンテナ５から出力された信号に基づいて携帯型電話機１の位置を計測する位置算出回路或いは位置算出装置であり、いわゆるＧＰＳ受信装置に相当する機能ブロックである。ＧＰＳ受信部１０は、ＲＦ受信回路部１１と、ベースバンド処理回路部２０とを備えて構成される。なお、ＲＦ受信回路部１１と、ベースバンド処理回路部２０とは、それぞれ別のＬＳＩ（Large Scale Integration）として製造することも、１チップとして製造することも可能である。
【００４５】
ＲＦ受信回路部１１は、ＲＦ信号の受信回路である。回路構成としては、例えば、ＧＰＳアンテナ５から出力されたＲＦ信号をＡ／Ｄ変換器でデジタル信号に変換し、デジタル信号を処理する受信回路を構成してもよい。また、ＧＰＳアンテナ５から出力されたＲＦ信号をアナログ信号のまま信号処理し、最終的にＡ／Ｄ変換することでデジタル信号をベースバンド処理回路部２０に出力する構成としてもよい。
【００４６】
後者の場合には、例えば、次のようにＲＦ受信回路部１１を構成することができる。すなわち、所定の発振信号を分周或いは逓倍することで、ＲＦ信号乗算用の発振信号を生成する。そして、生成した発振信号を、ＧＰＳアンテナ５から出力されたＲＦ信号に乗算することで、ＲＦ信号を中間周波数の信号（以下、「ＩＦ（Intermediate Frequency）信号」と称す。）にダウンコンバートし、ＩＦ信号を増幅等した後、Ａ／Ｄ変換器でデジタル信号に変換して、ベースバンド処理回路部２０に出力する。
【００４７】
ベースバンド処理回路部２０は、ＲＦ受信回路部１１から出力された受信信号に対して相関処理等を行ってＧＰＳ衛星信号を捕捉し、ＧＰＳ衛星信号から取り出した衛星軌道データや時刻データ等に基づいて、所定の位置算出計算を行って携帯型電話機１の位置（位置座標）を算出する回路部である。ベースバンド処理回路部２０は、受信信号の中からＧＰＳ衛星信号を捕捉する衛星信号捕捉装置としても機能する。
【００４８】
図４は、ベースバンド処理回路部２０の回路構成の一例を示す図であり、本実施形態に係わる回路ブロックを中心に記載した図である。ベースバンド処理回路部２０は、例えば、乗算器２１と、キャリア除去用信号発生部２２と、相関器２３と、レプリカコード発生部２４と、処理部２５と、記憶部２７とを備えて構成される。
【００４９】
乗算器２１は、キャリア除去用信号発生部２２により生成・発生されたキャリア除去用信号を受信信号に乗算することで受信信号から搬送波（キャリア）を除去し、相関器２３に出力する乗算器である。
【００５０】
キャリア除去用信号発生部２２は、ＧＰＳ衛星信号のキャリア信号と同一の周波数の信号であるキャリア除去用信号を生成する回路であり、例えばキャリアＮＣＯ（Numerical Controlled Oscillator）等の発振器を有して構成される。ＲＦ受信回路部１１から出力される信号がＩＦ信号である場合には、ＩＦ周波数をキャリア周波数として信号を生成する。何れにしろ、ＲＦ受信回路部１１から出力される信号の周波数と同一の周波数のキャリア除去用信号を生成するための回路である。
【００５１】
相関器２３は、レプリカコード発生部２４により生成されたレプリカコードと、乗算器２１から出力されたキャリアが除去された受信ＣＡコードとの相関演算を行うコリレーターであり、相関演算部に相当する。
【００５２】
レプリカコード発生部２４は、ＧＰＳ衛星信号の拡散符号であるＣＡコードのレプリカコードを生成する回路部であり、例えばコードＮＣＯ等の発振器を有して構成される。レプリカコード発生部２４は、処理部２５から指示されたＰＲＮ番号（衛星番号）に応じたレプリカコードを、指示された位相に応じて出力位相（時間）を調整して生成し、相関器２３に出力する。
【００５３】
相関器２３は、受信信号のＩＱ成分それぞれに対して、レプリカコード発生部２４から入力したレプリカコードとの相関処理を行う。Ｉ成分は、受信信号の同相成分（実部）を示し、Ｑ成分は受信信号の直交成分（虚部）を示す。
【００５４】
なお、受信信号のＩＱ成分の分離（ＩＱ分離）を行う回路ブロックについては図示を省略するが、どのように回路ブロックを構成してもよい。例えば、ＲＦ受信回路部１１において受信信号をＩＦ信号にダウンコンバートする際に、位相が９０度異なる局部発振信号を受信信号に乗算することでＩＱ分離を行うこととしてもよい。
【００５５】
処理部２５は、ベースバンド処理回路部２０の各機能部を統括的に制御する制御装置であり、例えばＣＰＵ等のプロセッサーを有して構成される。処理部２５は、相関器２３から出力された相関演算の結果を周波数解析する解析部や、周波数解析結果として得られる各周波数におけるパワー値のうち所定の閾値を超えたパワー値を抽出する抽出部、受信信号からＧＰＳ衛星信号を捕捉する捕捉部として機能する。主要な機能部として、処理部２５は、衛星信号捕捉部２５１と、位置算出部２５３とを有する。
【００５６】
衛星信号捕捉部２５１は、相関器２３から出力される相関値を相関積算時間に亘って積算する処理を行い、積算された相関値（積算相関値）に基づいてＧＰＳ衛星信号を捕捉する。
【００５７】
位置算出部２５３は、衛星信号捕捉部２５１により捕捉されたＧＰＳ衛星信号を利用して、公知の位置算出計算を行って携帯型電話機１の位置を算出する算出部であり、算出した位置をホストＣＰＵ３０に出力する。
【００５８】
記憶部２７は、ＲＯＭ（Read Only Memory）やフラッシュＲＯＭ、ＲＡＭ（Random Access Memory）等の記憶装置（メモリー）によって構成され、ベースバンド処理回路部２０のシステムプログラムや、衛星信号捕捉機能、位置算出機能等の各種機能を実現するための各種プログラム、データ等を記憶している。また、各種処理の処理中データ、処理結果などを一時的に記憶するワークエリアを有する。
【００５９】
記憶部２７には、例えば図４に示すように、プログラムとして、処理部２５により読み出され、ベースバンド処理（図５参照）として実行されるベースバンド処理プログラム２７１が記憶されている。ベースバンド処理プログラム２７１は、各種の相関処理（図６〜図９，図１６及び図１７参照）として実行される相関処理プログラム２７１１をサブルーチンとして有している。
【００６０】
また、一時的な格納データとして、例えば、衛星軌道データ２７２と、相関積算時間２７３と、相関値データ２７５と、増大相関値データ２７６と、積算相関値データ２７７と、閾値２７８とが記憶部２７に記憶される。
【００６１】
ベースバンド処理とは、処理部２５が、捕捉対象とするＧＰＳ衛星（以下、「捕捉対象衛星」と称す。）それぞれについて、各種の相関処理を行ってＧＰＳ衛星信号を捕捉する処理を行い、捕捉したＧＰＳ衛星信号を利用した位置算出計算を行って携帯型電話機１の位置を算出する処理である。
【００６２】
また、相関処理とは、処理部２５が上述した原理に従って、時系列の相関値に対する周波数解析を行い、所定の閾値を超えたパワー値を周波数ゼロにおけるパワー値と見なして、逆周波数解析により時系列の相関値を再構成する処理である。そして、再構成した時系列の相関値を積算することで積算相関値を算出・取得する。これらの処理については、フローチャートを用いて詳細に後述する。
【００６３】
衛星軌道データ２７２は、全てのＧＰＳ衛星の概略の衛星軌道情報を記憶したアルマナックや、各ＧＰＳ衛星それぞれについて詳細な衛星軌道情報を記憶したエフェメリス等のデータである。衛星軌道データ２７２は、ＧＰＳ衛星から受信したＧＰＳ衛星信号をデコードすることで取得する他、例えば携帯型電話機１の基地局やアシストサーバーからアシストデータとして取得する。
【００６４】
相関積算時間２７３は、相関値を積算する時間であり、受信信号の信号強度や受信環境等の情報に基づいて可変に設定される。
【００６５】
相関値データ２７５は、相関器２３から出力された相関値が相関積算時間２７３分蓄積されたデータである。また、増大相関値データ２７６は、相関積算時間分の相関値をｎ倍（ｎ＞１）することで得られる増大相関値のデータである。本実施例では、周波数解析で得られる各周波数におけるパワースペクトル密度を増大させ、周波数解析の精度を高めるため、増大相関値データ２７６に対する周波数解析を行う。
【００６６】
積算相関値データ２７７は、逆周波数解析によって再構成された相関値を積算することで得られる積算相関値のデータである。
【００６７】
閾値２７８は、増大相関値データ２７６に対する周波数解析を行うことで得られる各周波数におけるパワー値の閾値判定をするための閾値であり、例えば固定値が設定される。
【００６８】
図３の機能ブロックに戻って、ホストＣＰＵ３０は、記憶部８０に記憶されているシステムプログラム等の各種プログラムに従って携帯型電話機１の各部を統括的に制御するプロセッサーである。ホストＣＰＵ３０は、ベースバンド処理回路部２０から出力された位置座標をもとに、表示部５０に現在位置を指し示した地図を表示させたり、その位置座標を各種のアプリケーション処理に利用する。
【００６９】
操作部４０は、例えばタッチパネルやボタンスイッチ等により構成される入力装置であり、押下されたキーやボタンの信号をホストＣＰＵ３０に出力する。この操作部４０の操作により、通話要求やメール送受信要求、位置算出要求等の各種指示入力がなされる。
【００７０】
表示部５０は、ＬＣＤ（Liquid Crystal Display）等により構成され、ホストＣＰＵ３０から入力される表示信号に基づいた各種表示を行う表示装置である。表示部５０には、位置表示画面や時刻情報等が表示される。
【００７１】
携帯電話用アンテナ６０は、携帯型電話機１の通信サービス事業者が設置した無線基地局との間で携帯電話用無線信号の送受信を行うアンテナである。
【００７２】
携帯電話用無線通信回路部７０は、ＲＦ変換回路、ベースバンド処理回路等によって構成される携帯電話の通信回路部であり、携帯電話用無線信号の変調・復調等を行うことで、通話やメールの送受信等を実現する。
【００７３】
記憶部８０は、ホストＣＰＵ３０が携帯型電話機１を制御するためのシステムプログラムや、各種アプリケーション処理を実行するための各種プログラムやデータ等を記憶する記憶装置である。
【００７４】
２−１．第１実施例
第１実施例は、周波数解析の一種であるフーリエ変換を利用した相関処理を行い、再構成された相関値を積算することで得られる積算相関値に基づいてＧＰＳ衛星信号を捕捉する実施例である。
【００７５】
（１）処理の流れ
図５は、記憶部２７に記憶されているベースバンド処理プログラム２７１が処理部２５により読み出されることで、ベースバンド処理回路部２０において実行されるベースバンド処理の流れを示すフローチャートである。
【００７６】
最初に、衛星信号捕捉部２５１は、捕捉対象衛星判定処理を行う（ステップＡ１）。具体的には、不図示の時計部で計時されている現在時刻において、所与の基準位置の天空に位置するＧＰＳ衛星を、記憶部２７に記憶されたアルマナックやエフェメリス等の衛星軌道データ２７２を用いて判定して、捕捉対象衛星に決定する。基準位置は、例えば、電源投入後の初回の位置算出の場合は、いわゆるサーバーアシストによってアシストサーバーから取得した位置とし、２回目以降の位置算出の場合は、最新の算出位置とする等の方法で設定できる。
【００７７】
次いで、衛星信号捕捉部２５１は、ステップＡ１で判定した各捕捉対象衛星それぞれについて、ループＡの処理を実行する（ステップＡ３〜Ａ１７）。ループＡの処理では、衛星信号捕捉部２５１は、当該捕捉対象衛星について、相関積算時間２７３を設定する（ステップＡ５）。
【００７８】
相関積算時間の設定は、種々の方法により実現することができる。例えば、当該捕捉対象衛星からの受信信号の信号強度に基づいて設定することとしてもよい。信号強度が弱いほど、より長い時間に亘って相関値を積算しなければ、相関値のピークの検出が困難である。そのため、信号強度が弱くなるほど相関積算時間を長くするように相関積算時間を設定することが適切である。
【００７９】
また、ＧＰＳ衛星信号の受信環境を判定し、判定した受信環境に基づいて相関積算時間を決定してもよい。例えば、受信環境が「屋内環境（インドア環境）」である場合は、相関積算時間を長めの「１０００ミリ秒」に設定し、受信環境が「屋外環境（アウトドア環境）」である場合は、相関積算時間を少し短い「２００ミリ秒」に設定するなどが考えられる。
【００８０】
次いで、衛星信号捕捉部２５１は、レプリカコードの初期位相を設定する（ステップＡ７）。そして、当該捕捉対象衛星のＰＲＮ番号と、レプリカコードの位相とを指示する指示信号を、レプリカコード発生部２４に出力する（ステップＡ９）。そして、衛星信号捕捉部２５１は、記憶部２７に記憶されている相関処理プログラム２７１１を読み出して実行することで、相関処理を行う（ステップＡ１１）。
【００８１】
図６は、相関処理の一例である第１相関処理の流れを示すフローチャートである。
先ず、衛星信号捕捉部２５１は、パワー値の閾値２７８として所定値を設定し、記憶部２７に記憶させる（ステップＢ１）。
【００８２】
次いで、衛星信号捕捉部２５１は、相関器２３から出力された相関値を、ステップＡ５で設定した相関積算時間分蓄積し、その時系列データを相関値データ２７５として記憶部２７に記憶させる（ステップＢ３）。そして、衛星信号捕捉部２５１は、相関積算時間分の相関値をｎ倍（ｎ＞１）することで増大相関値を算出し、増大相関値データ２７６として記憶部２７に記憶させる（ステップＢ５）。
【００８３】
次いで、衛星信号捕捉部２５１は、増大相関値データ２７６に対して高速フーリエ変換（ＦＦＴ（Fast Fourier Transform））処理を行う（ステップＢ７）。なお、高速フーリエ変換に係る処理は従来公知であるため、詳細な説明は省略する。
【００８４】
ＦＦＴ処理を行って周波数領域におけるパワースペクトルを求めたら、衛星信号捕捉部２５１は、各周波数におけるパワー値のうち、ステップＢ１で設定した閾値２７８を超えている各周波数のパワー値を抽出して、周波数ゼロ（０Ｈｚ）におけるパワー値に加算する（ステップＢ９）。また、衛星信号捕捉部２５１は、抽出したパワー値を「０」にする（ステップＢ１１）。
【００８５】
次いで、衛星信号捕捉部２５１は、逆高速フーリエ変換処理（ＩＦＦＴ処理）を行って、相関値を再構成する（ステップＢ１３）。なお、逆高速フーリエ変換に係る処理についても従来公知であるため、詳細な説明は省略する。
【００８６】
逆ＦＦＴ処理を行って相関値を再構成したら、衛星信号捕捉部２５１は、再構成した相関積算時間分の相関値を積算し、積算相関値データ２７７として記憶部２７に記憶させる（ステップＢ１５）。そして、衛星信号捕捉部２５１は、第１相関処理を終了する。
【００８７】
図５のベースバンド処理に戻って、相関処理を行った後、衛星信号捕捉部２５１は、記憶部２７の積算相関値データ２７７に対するピーク検出を行い（ステップＡ１３）、ピークが検出されなかったと判定した場合は（ステップＡ１３；Ｎｏ）、レプリカコードの位相を変更して（ステップＡ１５）、ステップＡ９に戻る。
【００８８】
また、ピークが検出されたと判定した場合は（ステップＡ１３；Ｙｅｓ）、衛星信号捕捉部２５１は、次の捕捉対象衛星へと処理を移行する。そして、全ての捕捉対象衛星についてステップＡ５〜Ａ１５の処理を行った後、ループＡの処理を終了する（ステップＡ１７）。
【００８９】
その後、位置算出部２５３は、各捕捉対象衛星について捕捉されたＧＰＳ衛星信号を利用した位置算出計算を実行する（ステップＡ１９）。位置算出計算は、携帯型電話機１と各捕捉衛星間の擬似距離を利用して、例えば最小二乗法やカルマンフィルターを用いた公知の収束演算を行うことで実現することができる。
【００９０】
擬似距離は、次のようにして算出することができる。すなわち、衛星軌道データ２７２から求められる捕捉衛星の衛星位置と、携帯型電話機１の最新の算出位置とを用いて、擬似距離の整数部分を算出する。また、ステップＡ１３で検出された相関値のピークに相当するレプリカコードの位相（コード位相）を用いて、擬似距離の端数部分を算出する。このようにして求めた整数部分と端数部分とを合算することで、擬似距離を算出することができる。
【００９１】
次いで、位置算出部２５３は、算出した位置（位置座標）をホストＣＰＵ３０に出力する（ステップＡ２１）。そして、処理部２５は、処理を終了するか否かを判定し（ステップＡ２３）、まだ終了しないと判定した場合は（ステップＡ２３；Ｎｏ）、ステップＡ１に戻る。また、処理を終了すると判定した場合は（ステップＡ２３；Ｙｅｓ）、ベースバンド処理を終了する。
【００９２】
（２）実験結果
図１０〜図１５を参照して、ＧＰＳ衛星信号を捕捉した場合の実験結果について説明する。図１０〜図１２は、従来の信号捕捉方法に従って、ＧＰＳ衛星信号を捕捉した場合の実験結果の一例を示す図である。周波数方向と位相方向とのそれぞれについて、相関値を１秒間積算して積算相関値を求め、そのピークを検出する実験を行った。
【００９３】
図１０は、位相方向及び周波数方向の積算相関値を３次元的にプロットしたグラフである。図１０において、右奥行き方向が、受信ＣＡコードの位相とレプリカコードの位相との位相差を示しており、左奥行き方向が、受信信号の周波数とキャリア除去用信号の周波数との周波数差を示している。また、縦軸が積算相関値を示している。図１０のグラフのうち、周波数方向の相関処理結果を抜き出したグラフが図１１であり、位相方向の相関処理結果を抜き出したグラフが図１２である。
【００９４】
図１２を見ると、位相方向の相関処理結果については、位相差「０」の部分に積算相関値のピークが現れており、正しい結果が得られていることがわかる。しかし、図１１を見ると、周波数方向の相関処理結果については、周波数差「０Ｈｚ」の部分に積算相関値のピークが現れておらず、「０Ｈｚ」から左右方向それぞれに少し離れた周波数差においてピークが現れていることがわかる。このピークが現れた周波数差を調べたところ、特定周波数である「±２５Ｈｚ」に相当する周波数差であることがわかった。周波数差「０Ｈｚ」にピークが現れていないことから、ＧＰＳ衛星信号の捕捉に失敗したことを意味する。
【００９５】
図１３〜図１５は、第１実施例の信号捕捉方法に従って、ＧＰＳ衛星信号を捕捉した場合の実験結果の一例を示す図である。周波数方向と位相方向とのそれぞれについて、相関積算時間を「５００ミリ秒」として、上述した第１相関処理を行って積算相関値を求め、そのピークを検出する実験を行った。ここでは、パワー値の閾値を「１００」として実験を行った結果を示す。
【００９６】
図１３は、位相方向及び周波数方向の積算相関値を３次元的にプロットしたグラフである。また、図１３のグラフのうち、周波数方向の相関積算結果を抜き出したグラフが図１４であり、位相方向の相関積算結果を抜き出したグラフが図１５である。グラフの見方は、図１０〜図１２とそれぞれ同じである。
【００９７】
図１５を見ると、位相方向の相関処理結果について、位相差「０」の部分に積算相関値のピークが現れており、正しい結果が得られていることがわかる。また、図１４を見ると、周波数方向の相関処理結果についても、周波数差「０Ｈｚ」の部分に積算相関値のピークが現れていることがわかる。位相及び周波数がぴったり一致しているため、ＧＰＳ衛星信号の捕捉に成功したことを意味する。
【００９８】
（３）作用効果
ベースバンド処理回路部２０において、ＧＰＳ衛星から発信されたＧＰＳ衛星信号を受信した受信信号に対して、相関器２３において相関演算が行われる。そして、ＧＰＳ衛星信号に搬送されている航法メッセージデータのビット長（２０ミリ秒）以上の相関積算時間に亘る相関演算結果に対して、フーリエ変換を用いた周波数解析が処理部２５により行われる。そして、周波数解析で得られたパワー値のうち、所定の閾値を超えている各周波数のパワー値を抽出して周波数ゼロにおけるパワー値に移動させる処理が処理部２５により行われる。そして、逆フーリエ変換によって相関値が再構成された後、再構成された相関積算時間分の相関値が積算され、当該積算相関値のピークが検出されることで、ＧＰＳ衛星信号が捕捉される。
【００９９】
航法メッセージデータのビット値が変化（反転）すると、ＣＡコードの極性も反転する。そのため、航法メッセージデータのビット長以上の任意の時間に亘って相関処理を行った場合、正しい周波数に合わせてＧＰＳ衛星信号を捕捉したとしても、相関値の時系列データには符号変化が現れてしまう。この相関値の時系列データに対してフーリエ変換を行うと、原理で説明したように、特定周波数（２５Ｈｚ）や特定周波数の高調波の周波数、特定周波数よりも低い周波数等の複数の周波数にパワー値のピークが現れる。但し、パワー値の大きさは、符号変化の周期（周波数）やその高調波によってまちまちである。
【０１００】
これらのパワー値のピークは、航法メッセージデータのビット値の変化（反転）に起因するものである。そのため、フーリエ変換で得られた各周波数におけるパワー値のうち、所定の閾値を超えている各周波数のパワー値を抽出して、周波数ゼロにおけるパワー値に移動させる処理を行う。かかる処理を行った後、逆フーリエ変換によって相関値を再構成することで、符号の揃った相関値の時系列データを得ることができる。符号の揃った相関値を積算していけば、符号の異なる相関値同士が相殺し合うことはない。従って、航法メッセージデータのビット長（２０ミリ秒）よりも長い相関積算時間に亘る相関処理を実現することができる。
【０１０１】
また、本実施例では、相関積算時間分蓄積された相関値をｎ倍することで増大相関値を算出し、この増大相関値の時系列データに対してフーリエ変換を行うことで、パワースペクトル密度を増大させ、周波数解析の精度を高めることができる。
【０１０２】
上述した実験結果からわかるように、ＧＰＳ衛星信号の捕捉に失敗した場合は、特定周波数に相当する周波数差において積算相関値のピークが現れ、捕捉に成功した場合は、周波数差ゼロにおいて積算相関値のピークが現れる。このことから考えると、高パワー条件を満たしている各周波数のパワー値を周波数ゼロにおけるパワー値に移動させることは、ＧＰＳ衛星信号の受信周波数を検出することであるとも言える。
【０１０３】
（４）他の相関処理
図６を用いて説明した第１相関処理は、相関処理の一例であり、これに限られない。他の相関処理の例について、フローチャートを用いて説明する。以下説明するフローチャートにおいて、第１相関処理と同一のステップについては同一の符号を付して説明を省略し、第１相関処理とは異なるステップを中心に説明する。
【０１０４】
図７は、他の相関処理の一例である第２相関処理の流れを示すフローチャートである。第２相関処理では、ステップＢ７においてＦＦＴ処理を行った後、特定周波数（２５Ｈｚ）及びその高調波周波数（２５Ｈｚの奇数倍の周波数）について、閾値を超えているパワー値を抽出して、周波数ゼロにおけるパワー値に加算する（ステップＣ９）。以降の処理は、第１相関処理と同様である。
【０１０５】
周波数解析を行った場合にパワー値の大きなピークが現れるのは、主として、特定周波数及びその高調波の周波数（特定周波数の奇数倍の周波数）である。そのため、第２相関処理では、特定周波数及び特定周波数の高調波の周波数を対象として、パワー値が閾値を超えている場合に周波数ゼロにおけるパワー値に移動させることとした。これにより、広範な周波数を対象として処理を行う場合と比べて計算量が削減されるとともに、ＧＰＳ衛星信号の捕捉に適した相関値を取得することが可能となる。
【０１０６】
図８は、他の相関処理の一例である第３相関処理の流れを示すフローチャートである。第３相関処理では、衛星信号捕捉部２５１は、ステップＢ９において閾値を超えているパワー値を抽出して周波数ゼロにおけるパワー値に加算した後、逆ＦＦＴ処理を行わずに、
周波数ゼロにおけるパワー値を相関処理結果として記憶部２７に記憶させる（ステップＤ１１）。
【０１０７】
以降の処理では、衛星信号捕捉部２５１は、周波数ゼロにおけるパワー値を相関処理結果とみなして、ＧＰＳ衛星信号の捕捉を行う。なお、第３相関処理では、第１相関処理とは異なり、周波数ゼロにおけるパワー値以外のパワー値は不要であるため、抽出したパワー値を「０」にするステップ（図６のステップＢ１１）は省略している。
【０１０８】
このように、周波数ゼロにおけるパワー値を相関処理結果とみなして処理を行うことができる根拠について説明する。計算機を用いてフーリエ変換を行う際には、一般に離散フーリエ変換が用いられる。相関値に対する離散フーリエ変換は、以下の式（１）で定式化される。
【数１】
2011174725.tif 000003
【０１０９】
式（１）において、「ｘk」は相関値を示しており、添え字の「ｋ」はサンプリングされた相関値の番号を示している。また、「ｆj」は周波数を表しており、添え字の「ｊ＝０，１，２，・・・，ｎ−１」はサンプリングされた周波数の番号を示している。
【０１１０】
この場合、ｊ番目の周波数についてのパワー値「Ｐｏｗｅｒj」は、次式（２）で与えられる。
【数２】
2011174725.tif 000004
【０１１１】
また、周波数から相関値への逆フーリエ変換は、次式（３）で定式化される。
【数３】
2011174725.tif 000005
【０１１２】
第３相関処理のステップＢ９において、閾値を超えているパワー値を周波数ゼロにおけるパワー値に加算することで得られる周波数ゼロにおけるパワー値（以下、「合算周波数ゼロパワー値」と称す。）を「Ｐｏｗｅｒ’0」と表記した場合、直流成分にのみ着目して逆フーリエ変換を行うと、次式（４）が導出される。
【数４】
2011174725.tif 000006
【０１１３】
但し、式（４）を導出する際に、式（２）より次式（５）が成立することを用いた。
【数５】
2011174725.tif 000007
【０１１４】
相関積算時間を「Ｔ」とした場合、逆フーリエ変換で再構成された相関値「ｘk」を相関積算時間「Ｔ」分積算することで、次式（６）で表される積算相関値「Ｘ」が得られる。
【数６】
2011174725.tif 000008
【０１１５】
式（６）を見ると、相関積算時間分の積算相関値「Ｘ」は、相関積算時間「Ｔ」と、合算周波数ゼロパワー値「Ｐｏｗｅｒ’0」と、サンプリング総数「ｎ」とに依存することがわかる。ここで、相関積算時間「Ｔ」及びサンプリング総数「ｎ」は定数である。従って、合算周波数ゼロパワー値「Ｐｏｗｅｒ’0」を定数倍するだけで、積算相関値「Ｘ」が得られる。このことから、合算周波数ゼロパワー値は、再構成された相関値と等価であると言える。ゆえに、逆フーリエ変換を行わずとも、合算周波数ゼロパワー値そのものを用いてＧＰＳ衛星信号を捕捉することができる。
【０１１６】
図９は、他の相関処理の一例である第４相関処理の流れを示すフローチャートである。第４相関処理では、衛星信号捕捉部２５１は、ステップＥ３において、相関器２３から出力された相関値のデータを所定の蓄積時間分蓄積して、記憶部２７に記憶させる（ステップＥ３）。蓄積時間は、例えば相関積算時間の１／ｍ倍（ｍ＞１）の時間として設定すれば好適である。例えば、相関積算時間を「１０００ミリ秒」に設定し、「ｍ＝５」とした場合は、蓄積時間として「２００ミリ秒」を設定することとする。
【０１１７】
次いで、衛星信号捕捉部２５１は、ステップＥ３で記憶させた蓄積時間分の相関値をｎ倍して増大相関値を算出し、増大相関値データ２７６として記憶部２７に記憶させる（ステップＥ５）。そして、ステップＢ７〜Ｂ１３の処理を行った後、再構成された蓄積時間分の相関値を積算し、その積算結果を最新の積算相関値に加算して積算相関値を更新する（ステップＥ１５）。
【０１１８】
衛星信号捕捉部２５１は、相関積算時間が経過するまでの間（ステップＥ１７；Ｎｏ）、ステップＥ３〜Ｅ１５の処理を繰り返す。そして、相関積算時間が経過すると（ステップＥ１７；Ｙｅｓ）、第４相関処理を終了する。
【０１１９】
第４相関処理では、相関積算時間分の相関値のデータを一挙に蓄積するのではなく、相関積算時間よりも短い所定の蓄積時間分の相関値のデータを蓄積する。そして、蓄積時間分の相関値のデータに対するＦＦＴ処理、パワー値の移動処理及び逆ＦＦＴ処理を行い、再構成された蓄積時間分の相関値を積算して最新の積算相関値を更新する。以上の処理を、相関積算時間が経過するまで繰り返し、最終的に相関積算時間分の積算相関値を取得する。
【０１２０】
２−２．第２実施例
第２実施例は、周波数解析の一種であるウェーブレット変換を利用した相関処理を行い、再構成された相関値を積算することで得られる積算相関値に基づいてＧＰＳ衛星信号を捕捉する実施例である。
【０１２１】
（１）処理の流れ
図１６は、ウェーブレット変換を利用した相関処理の一例である第５相関処理の流れを示すフローチャートである。
先ず、衛星信号捕捉部２５１は、エネルギー値の閾値２７８を設定し、記憶部２７に記憶させる（ステップＦ１）。
【０１２２】
次いで、衛星信号捕捉部２５１は、相関器２３から出力された相関値を相関積算時間分蓄積し、相関値データ２７５として記憶部２７に記憶させる（ステップＦ３）。そして、衛星信号捕捉部２５１は、相関積算時間分の相関値をｎ倍することで増大相関値を算出し、増大相関値データ２７６として記憶部２７に記憶させる（ステップＦ５）。
【０１２３】
次いで、衛星信号捕捉部２５１は、増大相関値データ２７６に対するウェーブレット変換処理を行う（ステップＦ１１）。ウェーブレット変換は、一種の線形フィルタリングであり、入力信号（ここでは増大相関値の時系列データ）を、ハイパスフィルターに相当するウェーブレットフィルター「ｈ」と、ローパスフィルターに相当するスケーリングフィルター「ｇ」との２種類のフィルターを用いて、高周波の詳細成分と低周波の近似成分とに分解する。そして、所定の分解レベルに到達するまで近似成分を繰り返し分解する処理を行い、多重の解像度を有するウェーブレット成分を用いて、入力信号を表現する。
【０１２４】
具体的には、時系列の増大相関値を「ｘ（ｔ）」とした場合、分解するレベル数を「Ｊ」として、分解レベル「０」の近似成分「ｘ0（ｔ）」を分解レベル「Ｊ−１」まで分解すると、次式（７）が得られる。
【数７】
2011174725.tif 000009
【０１２５】
式（７）において、「ｘj（ｔ）」は分解レベル「ｊ」の近似成分を示しており、「ｇj（ｔ）」は分解レベル「ｊ」の詳細成分を示している。「ｘJ-1（ｔ）」を１つ下の分解レベル「Ｊ−２」の式に代入して「ｘJ-2（ｔ）」を求め、求めた「ｘJ-2（ｔ）」を１つ下の分解レベル「Ｊ−３」の式に代入して「ｘJ-3（ｔ）」を求めるといった処理を分解レベル「０」まで行うと、次式（８）によって時系列の増大相関値「ｘ（ｔ）」が表現される。
【数８】
2011174725.tif 000010
【０１２６】
このように、解像度の異なるウェーブレット成分の和で入力信号を表現する手法は、多重解像度解析と呼ばれる。計算機（コンピューター）を用いてウェーブレット変換を実現する場合は、計算をより効率的に行うために、２の冪乗をベースにスケールパラメーター「ａ」を選択する離散ウェーブレット変換が用いられる。
【０１２７】
ウェーブレット変換処理を行った後、衛星信号捕捉部２５１は、各分解レベルそれぞれについて得られた高周波詳細成分のうち、エネルギー値がステップＦ１で設定した閾値２７８を超えている分解レベルを判定する（ステップＦ１３）。
【０１２８】
そして、衛星信号捕捉部２５１は、ステップＦ１３で判定した各分解レベルそれぞれについて、高周波詳細成分のエネルギー値を低周波近似成分のエネルギー値に加算する（ステップＦ１５）。また、ステップＦ１３で判定した各分解レベルそれぞれにおける高周波詳細成分のエネルギー値を「０」にする（ステップＦ１７）。低周波近似成分のエネルギー値は、近似成分係数（スケーリング係数）の２乗値で表され、高周波詳細成分のエネルギー値は、詳細成分係数（ウェーブレット係数）の２乗値で表される。
【０１２９】
なお、ウェーブレット変換では「エネルギー値」の概念が用いられることが一般的であるため、本実施例でも、エネルギー値の概念を用いた処理を行うものとして図示・説明する。しかし、エネルギー値とは言っても、周波数解析におけるパワー値の一種であることに変わりはなく、パワー値と同義である。
【０１３０】
離散ウェーブレット変換では、増大相関値「ｘ（ｔ）」が近似成分と詳細成分とに分解されることから、増大相関値「ｘ（ｔ）」のエネルギー値は、近似成分と詳細成分とに保存される。すなわち、次式（９）及び（１０）のエネルギー保存の法則が成立する。
【数９】
2011174725.tif 000011
【数１０】
2011174725.tif 000012
但し、「ｃＡ」は近似成分係数（スケーリング係数）を示し、「ｃＤ」は詳細成分係数（ウェーブレット係数）を示す。
【０１３１】
ステップＦ１５及びＦ１７では、エネルギー値が閾値を超えている分解レベルについて、高周波詳細成分のエネルギー値を抽出して低周波近似成分のエネルギー値に加算した後に、高周波詳細成分のエネルギー値を「０」にする処理を行っている。エネルギー値の総量が変化しないため、本実施例の処理では、上記のエネルギー保存の法則は満たされる。
【０１３２】
その後、衛星信号捕捉部２５１は、逆ウェーブレット変換処理を行って、増大相関値を再構成する（ステップＦ１９）。そして、衛星信号捕捉部２５１は、再構成された相関積算時間分の相関値を積算し、得られた積算相関値を積算相関値データ２７７として記憶部２７に記憶させた後（ステップＦ２１）、第５相関処理を終了する。
【０１３３】
（２）実験結果
第２実施例の手法を用いてＧＰＳ衛星信号を捕捉した場合の実験結果について説明する。ここでは、受信信号の周波数及び受信ＣＡコードの位相を既知として、受信ＣＡコードとレプリカＣＡコードとの相関処理を行った結果を示す。相関積算時間を「１０００ミリ秒」、エネルギー値の閾値を「１００」として実験を行った。
【０１３４】
図１８は、１０００ミリ秒分の相関値を計測したグラフであり、上述した第５相関処理においてウェーブレット変換を行う前の生の相関値の時系列変化を示している。横軸は時間、縦軸は相関値を示している。この図を見ると、航法メッセージデータのビット値の変化によって受信ＣＡコードの極性が反転したことにより、相関値の符号が短い周期で変化し、相関値「０」を中心として、正負の領域に大きく振動していることがわかる。この相関値を相関積算時間に亘って積算したところ、積算相関値は「０」になった。
【０１３５】
図１９は、図１８の相関値のデータに対して、上述した第５相関処理を行って信号を再構成した後の相関値の時系列変化を示すグラフである。この図を見ると、相関値の中心が正の領域にシフトし、相関値は概ね正の値に収まっていることがわかる。また、上下の振動に着目すると、部分的にパルス状の変化が認められるものの、全体としては小さな振幅で変動していることがわかる。この再構成された相関値を相関積算時間に亘って積算したところ、積算相関値は「６５０」と非常に大きな値となった。
【０１３６】
（３）他の相関処理
図１６を用いて説明した第５相関処理は、ウェーブレット変換を利用した相関処理の一例であり、この処理方法に限定されるものではない。他の相関処理の例について、フローチャートを用いて説明する。以下説明するフローチャートにおいて、第５相関処理と同一のステップについては同一の符号を付して説明を省略し、第５相関処理とは異なるステップを中心に説明する。
【０１３７】
図１７は、他の相関処理の一例である第６相関処理の流れを示すフローチャートである。第６相関処理では、衛星信号捕捉部２５１は、ステップＦ１においてエネルギー値の閾値を設定した後、相関器２３から出力された相関値を所定の蓄積時間分蓄積し、そのデータを記憶部２７に記憶させる（ステップＧ３）。蓄積時間は、図９で説明した第４相関処理と同様に、例えば相関積算時間の１／ｍ倍（ｍ＞１）の時間を設定する。
【０１３８】
次いで、衛星信号捕捉部２５１は、ステップＧ３で記憶させた蓄積時間分の相関値をｎ倍して増大相関値を算出し、増大相関値データ２７６として記憶部２７に記憶させる（ステップＧ５）。そして、衛星信号捕捉部２５１は、ステップＦ１１〜Ｆ１９の処理を行った後、再構成された蓄積時間分の相関値を積算し、その結果で最新の積算相関値を更新する（ステップＧ２１）。
【０１３９】
そして、衛星信号捕捉部２５１は、相関積算時間が経過するまで（ステップＧ２３；Ｎｏ）、ステップＧ３〜Ｇ２１の処理を繰り返し実行する。そして、相関積算時間が経過すると（ステップＧ２３；Ｙｅｓ）、第６相関処理を終了する。
【０１４０】
なお、他の相関処理としては、第１実施例の変形例で説明した第３相関処理と同様に、逆ウェーブレット変換処理を省略することとしてもよい。この場合は、逆ウェーブレット変換で再構成された時系列の相関値のエネルギー値のうち、低周波近似成分のエネルギー値を相関処理結果と見なしてＧＰＳ衛星信号を捕捉するようにすればよい。
【０１４１】
３．変形例
３−１．電子機器
上述した実施例では、電子機器の一種である携帯型電話機に本発明を適用した場合を例に挙げて説明したが、本発明を適用可能な電子機器はこれに限られるわけではない。例えば、カーナビゲーション装置や携帯型ナビゲーション装置、パソコン、ＰＤＡ（Personal Digital Assistant）、腕時計といった他の電子機器についても同様に適用することが可能である。
【０１４２】
３−２．位置算出システム
また、上述した実施形態では、位置算出システムとしてＧＰＳを例に挙げて説明したが、ＷＡＡＳ（Wide Area Augmentation System）、ＱＺＳＳ（Quasi Zenith Satellite System）、ＧＬＯＮＡＳＳ（GLObal NAvigation Satellite System）、ＧＡＬＩＬＥＯ等の他の衛星測位システムを利用した位置算出システムであってもよい。
【０１４３】
３−３．増大相関値
上述した実施形態では、相関積算時間分の相関値をｎ倍して増大相関値を算出し、当該増大相関値の時系列データに対して周波数解析を行うこととして説明した。しかし、この処理を省略し、相関積算時間分の相関値データそのものに対して周波数解析を行うこととしてもよい。
【０１４４】
また、増大相関値データに対する周波数解析を行うのではなく、相関積算時間分の相関値が所定の増感時間分繰り返すデータ（増感相関値データ）に対する周波数解析を行うこととしてもよい。例えば、増感時間として、相関積算時間のｋ倍（ｋ＞１）の時間を設定する。そして、相関積算時間分の相関値が増感時間分繰り返すデータを生成して増感相関値データとし、当該増感相関値データに対する周波数解析を行ってパワースペクトルを求めるようにする。
【０１４５】
３−４．周波数解析
また、周波数解析は、フーリエ変換やウェーブレット変換に限られるわけではない。相関値の周波数成分をパワー値で表現可能であれば、他の周波数解析を用いた相関処理を行うことによっても、上述した実施形態と同様の効果を得ることができることは言うまでもない。
【符号の説明】
【０１４６】
１  携帯型電話機、  １０  ＧＰＳ受信部、  １１  ＲＦ受信回路部、  ２０  ベースバンド処理回路部、  ２１  乗算器、  ２２  キャリア除去用信号発生部、  ２３  相関器、  ２４  レプリカコード発生部、  ２５  処理部、  ２７  記憶部、  ３０  ホストＣＰＵ、  ４０  操作部、  ５０  表示部、  ６０  携帯電話用アンテナ、  ７０  携帯電話用無線通信回路部、  ８０  記憶部
【図１】
2011174725.tif 000013
【図２】
2011174725.tif 000014
【図３】
2011174725.tif 000015
【図４】
2011174725.tif 000016
【図５】
2011174725.tif 000017
【図６】
2011174725.tif 000018
【図７】
2011174725.tif 000019
【図８】
2011174725.tif 000020
【図９】
2011174725.tif 000021
【図１０】
2011174725.tif 000022
【図１１】
2011174725.tif 000023
【図１２】
2011174725.tif 000024
【図１３】
2011174725.tif 000025
【図１４】
2011174725.tif 000026
【図１５】
2011174725.tif 000027
【図１６】
2011174725.tif 000028
【図１７】
2011174725.tif 000029
【図１８】
2011174725.tif 000030
【図１９】
2011174725.tif 000031